(57)【要約】【課題】  ▲１▼用紙型、用紙規格に対応する規格品、汎用品である、▲２▼意匠の創作余地が大きい、▲３▼意匠効果（注目効果）を有する、▲４▼多様な商品展開が可能である、以上の要件を満たすディスプレイ基板を提供する。【解決手段】  本発明は、上記目的を達成するために、請求項１記載の発明は、  ハンガー部の下端部に、規格化された用紙サイズ、用紙型に対応する表示領域を有する略Ｔシャツ形平面状板部を形成したディスプレイ基板を提供する。  本発明の請求項２記載の発明は、  衣服用ハンガーにＴシャツが掛かった状態、場面を、平板状、一体成型状に形態化、視覚化した意匠を有する、前記請求項１記載のディスプレイ基板を提供する。  本発明の請求項３記載の発明は、  前記略Ｔシャツ形平面状板部に、収納機能部、もしくは、時計機能部を設けた、前記請求項１、及び２記載のディスプレイ基板を提供する。【選択図】図１
2011018005.tif 000002
【特許請求の範囲】
【請求項１】
ハンガー部の下端部に、規格化された用紙サイズ、用紙型に対応する表示領域を有する略Ｔシャツ形平面状板部を形成したディスプレイ基板。
【請求項２】
衣服用ハンガーにＴシャツが掛かった状態、場面を、平板状、一体成型状に形態化、視覚化した意匠を有する、前記請求項１記載のディスプレイ基板。
【請求項３】
前記略Ｔシャツ形平面状板部に、収納機能部、もしくは、時計機能部を設けた、前記請求項１、及び２記載のディスプレイ基板。
【発明の詳細な説明】
【技術分野】
【０００１】  本発明は、ディスプレイ用品に関するものである。
【背景技術】
【０００２】  従来より、写真、広告宣伝物、絵などを展示、もしくは表示する場合、一定の厚みを持ったベース材が基板として用いられている。
材質は、プラスチック板材、紙板材、木質ボード材など、様々である。
具体例を挙げると、写真、広告ポスター、宣伝ＰＯＰ展示用に使われる接着剤付きのパネル体（特許文献１、２）や、芯材（ボード）の表面にケント紙、ワトソン紙、上質紙などをマウントした描画用ボードなどがある。【０００３】  また、注目、集客を目的とする、人の写真やキャラクターの絵を型抜いた型抜きパネル（以後人型パネルと呼ぶ）がある。（特許文献３図６参照）
更に、意匠性を持った表示ボードが提供されている。（特許文献４〜６参照）
【先行技術文献】
【特許文献】
【０００４】
【特許文献１】  特開２００８−１９１１３４５号
【特許文献２】  特開Ｈ０８−２７６５２１号
【特許文献３】  特開２００３−２２８２９３
【特許文献４】  意匠登録１１９９１６２号
【特許文献５】  意匠登録１３２４１３４号
【特許文献６】  意匠登録１１３２９１５号
【発明の概要】
【発明が解決しようする課題】
【０００５】  パネル、ボードなど、ベース材の多くは、単純な矩形を基本形としている。
【０００６】  これは、表示物の多くが、用紙型、及び用紙規格（ＪＩＳ規格によるＡ判、Ｂ判など）を標準にレイアウト、デザインされるため、汎用化、規格化の面で、用紙型と同類型の矩形がベース材に適しているからである。
【０００７】  しかし、矩形は単純な基本形状であるので、意匠創作余地は限られ、独自の意匠効果を付加するのは難しい。
【０００８】  ベース材の場合、商品差別性、商品展開性が小さいという課題がある。
【０００９】  一方、人型パネルは、その意匠により、注目効果が期待できる。
主に、広告宣伝などの集客の場で利用されている。
【００１０】  しかし、特注仕様で制作される人型パネルの場合、表示内容は、個別的なものであり、用紙型、用紙規格に基づいて制作される表示物全般に対応するものではない。
よって、ベース材のように、汎用品、規格品として商品化するには不向きである。
意匠ボードの場合も、特殊形であるので、用途が限定される。
【００１１】  このように、矩形のパネル、ボードは、汎用化、規格化に適しているが、意匠創作余地は限定され、商品差別性が小さい。
人型パネル、意匠ボードは、意匠効果が期待できるが、汎用品、規格品としての商品化には不向きである。
【００１２】  そこで、上記課題を踏まえ、▲１▼用紙型、用紙規格に対応する規格品、汎用品である、▲２▼意匠の創作余地が大きい、▲３▼意匠効果（注目効果）を有する、▲４▼多様な商品展開が可能である、以上の要件を満たすディスプレイ基板を提供する。
【課題を解決するための手段】
【００１３】  本発明は、上記目的を達成するために、請求項１記載の発明は、
ハンガー部の下端部に、規格化された用紙サイズ、用紙型に対応する表示領域を有する略Ｔシャツ形平面状板部を形成したディスプレイ基板を提供する。
【００１４】  本発明の請求項２記載の発明は、
衣服用ハンガーにＴシャツが掛かった状態、場面を、平板状、一体成型状に形態化、視覚化した意匠を有する、前記請求項１記載のディスプレイ基板を提供する。
【００１５】  本発明の請求項３記載の発明は、
前記略Ｔシャツ形平面状板部に、収納機能部、もしくは、時計機能部を設けた、前記請求項１、及び２記載のディスプレイ基板を提供する。
【００１６】  なお、前記「規格化された用紙サイズ、用紙型」とは、ＪＩＳ規格によるＡ判、Ｂ判用紙規格、写真プリント用紙規格（４Ｐ、２Ｌ、Ｌ判など）、名刺用紙規格などの、一般的に普及している各用紙のサイズ及び用紙型全般を意味する。
また、「対応する」の意味は、相応し、同等である、ということを意味する。
「表示領域」とは、印刷、描画、筆記可能な、面上の範囲を意味する。
「略Ｔシャツ形平面状板」とは、胴太の略Ｔ字形のフォルム（輪郭）を有する半袖シャツ（Ｔシャツ、ポロシャツ、ユニホームシャツなど）を象った平面状の板を意味する。
【発明の効果】
【００１７】  本発明は、上記のように構成したことにより、次の効果をもたらす。
▲１▼用紙型、用紙規格に対応する規格品、汎用品であり、尚且つ意匠創作余地が大きく、独自の意匠効果（視覚効果）を発揮するディスプレイ基板を提供できる。
【００１８】  ▲２▼多様な商品展開が可能なディスプレイ基板を提供できる。
【図面の簡単な説明】
【００１９】
【図１】第一の実施例の正面図である。
【図２】第一の実施例の背面図である。
【図３】第一の実施例の平面図と底面図である。
【図４】第一の実施例の左右の側面図である。
【図５】第二の実施例の正面図と右側面図である。
【図６】収納部の設置方法に関する参考説明図である。
【図７】第三の実施例の正面図で断面図ある。
【図８】第四の実施例の正面図と断面図である。
【図９】第五の実施例の正面図と右側面図である。
【図１０】第六の実施例の正面図、側面図、平面図、底面図である。
【図１１】第七の実施例の正面図、側面図、平面図、底面図である。
【図１２】第八の実施例の平面図、側面図、平面図、底面図である。
【図１３】第九の実施例の正面図、側面図、平面図、底面図である。
【図１４】第十の実施例の正面図、側面図、平面図、底面図である。
【図１５】第十一の実施例の正面図、側面図、平面図、底面図である。
【図１６】第十二の実施例の正面図、側面図、平面図、底面図である。
【図１７】第十三の実施例の正面図、側面図、平面図、底面図である。
【図１８】第十四の実施例の正面図、側面図、平面図、底面図である。
【図１９】第十五の実施例の正面図、側面図、平面図、底面図である。
【図２０】第十六の実施例の正面図、側面図、平面図、底面図である。
【図２１】第十七の実施例の正面図、側面図、平面図、底面図である。
【図２２】第十八の実施例の正面図、側面図、平面図、底面図である。
【図２３】矩形ベース材の意匠創作性に関する参考説明図である。
【図２４】本発明の意匠創作性に関する参考説明図である。
【図２５】本発明の汎用性に関する参考説明図である。
【図２６】本発明の規格性に関する参考説明図である
【図２７】本発明の活用例に関する参考説明図１である。
【図２８】本発明の活用例に関する参考説明図２である。
【図２９】定形デザインボードとしての活用例に関する参考説明図である。
【図３０】収納部のバリエーションに関する参考説明図である。
【課題を解決するための形態】
【００２０】  以下、本発明の実施の形態を、図１〜図３０に基づいて説明する。
【００２１】  図１、図２は、第一実施例の、正面図、背面図を表している。
図３は、平面図と底面図、図４は、右側面図と左側面図を表している。
【００２２】  図１において第一実施例の基本構成を説明する。
【００２３】  上下逆さ状の略Ｊ型のハンガー部１の下端部に略Ｔシャツ形平面状板部２を、前記ハンガー部１と一体状に形成してある。
【００２４】  前記略Ｔシャツ形平面状板部２は、Ａ判用紙規格や写真プリント用紙規格など、一般において規格化されている様々な用紙サイズ、及び用紙型に対応する表示領域を有する。
【００２５】  上記の構成により、▲１▼用紙型、用紙規格に対応する規格品、汎用品である、▲２▼意匠創作余地が大きい、▲３▼独自の意匠効果をもたらす、▲４▼多様な商品展開が可能である、以上の特長を有するディスプレイ基板を提供することができる。
【００２６】  参考説明図をもって、更に詳しく説明する。
【００２７】  通常の矩形状パネル及びボードの輪郭は、用紙型、用紙規格を基にレイアウト、デザインされた表示内容を、バランス良く収める必要上、変形の余地は限られる。
意匠創作余地は小さく、商品差別性、展開性も小さい。（図２３参照）
【００２８】  人型パネルや意匠ボードの場合、意匠創作上の制約が小さく、矩形のパネル及びボードに比べ、意匠効果が大きい。
しかし、形態が個別的であるので、その輪郭内に、用紙規格に対応する表示領域（矩形のレイアウト枠）を、統一性をもって、バランス良く設定するのが難しい。（特許文献３〜６参照）
ゆえに、ベース材としては、汎用性に欠け、用途も限定される。
【００２９】  本発明は、上記の両課題を解決するものである。
【００３０】  本発明は、図２４に示すように、胴体部の輪郭は、左右二本の縦線（側線）と一本の横線（底線）から構成され、袖部及び肩部の輪郭は、複数の傾斜状短線から構成されている。
【００３１】  胴体部の変形余地は小さいが、袖部と肩部の変形余地は大きく、ハンガー部も含めた全体構成においては、意匠創作余地が大きい。
【００３２】  レイアウトの基本枠となる規格化された用紙型の輪郭ＬＦ（点線表示した矩形部）が、略Ｔシャツ形平面状板部２の輪郭内に、統一性をもって、バランス良く収まり（図２５参照）、尚且つ、多様な意匠展開が可能である。（図１０〜図２２参照）
意匠創作性を向上させつつ、用紙型、用紙規格に基づきレイアウト、デザインされた表示物に対して、汎用性をもって、幅広く対応できる。
【００３３】  用紙型、用紙規格に対応した規格化も可能である。（図２６参照）
【００３４】  次に、本発明の意匠効果（視覚効果）について説明する。
【００３５】  本発明の意匠は、ベース材を単にＴシャツ型にしたものではなく、ハンガーにＴシャツが掛けられた状態、場面を形態化、視覚化したものである。
即ち、日常の生活シーンの中のＴシャツのイメージを再現している。
【００３６】  本発明を、壁面に吊り下げた時、衣服用ハンガーにＴシャツが掛かった、身近な生活シーンのひとコマが再現されるかたちになる。
需要者に対し、生活シーンの中のＴシャツをイメージさせる。
【００３７】  吊り下げディスプレイ時の態様において、商品としての表情に乏しい矩形ベース材とは対称的に、身近な生活感、親しみやすさ、インテリア性を印象づける。
【００３８】  また、前記用紙型に対応する表示領域部が人の胴体部を、左右の袖部が人の腕部を、ハンガー部が人の頭、首部をイメージさせるので、人型パネルと同種の注視、注目効果が期待できる。
【００３９】  これらの意匠的特徴は、広告宣伝、販促ＰＯＰ、サイン、メッセージ用のディスプレイ基板に好適である。（図２７、２８参照）
【００４０】  また、インテリア、オブジェとして、室内に調和するので、写真や絵のディスプレイにも適している。
【００４１】  更に、Ｔシャツ形をしているので、Ｔシャツデザイン用の定形ボード、イラストボードとして活用すれば、店舗でのディスプレイと同じかたちで、デザインチェック、デザイン創作が行え便利である。（図２９参照）
【００４２】  Ｔシャツデザインの見本ボードとしての活用も可能である。
売り場において、多数のＴシャツに対して、陳列展示スペースが限られる場合、本発明を適宜縮小し、デザイン見本ボードとして壁面などに陳列、表示すれば、ディスプレイ効果が得られるとともに、効率的に、Ｔシャツデザインの表示ができる。
Ｔシャツ商品のプレゼンテーション用の資材としてもよい。
【００４３】  なお、Ｔシャツの丸襟部を示す、大小二本の円弧状線部は、印刷に限らず、凸状、凹状線部として形成してもよい。
表示領域を大きく設定したい場合は、省いてもかまわない。
或いは、他の襟型を表示してもよい。
【００４４】  使用材質は、ＰＰ、ＰＥＴ、塩ビ、アクリル素材、ケント紙ボード、上質紙ボードなど、用途に応じて、最適な材料を任意に選択する。
また、サインパネル加工、ホワイトボード仕様などの表面加工を施してもよい。
板部の厚み幅、角部の丸み付け及びその度合いに関しても任意の選択事項とする。
【００４５】  図５は、第二の実施例の正面図と側面図である。
略Ｔシャツ形平面状板部に収納機能部を設けたものである。
【００４６】  前記略Ｔシャツ形平面板部１の下部中間辺りに、携帯電話などの小物を収納保持するための上開き状の角形収納部３を、一体成型状に設けてある。
【００４７】  収納部のサイズ、個数、配置位置は、図５に示したものに限らず、表示内容のレイアウト、デザインのパターンに応じ、任意に調整、選択すればよい。
【００４８】  収納部の形態も、収納対象となる物品個々（写真、郵便物、書類、電池、ティッシュ用品など）の形態に応じて成型する。
前記上開き状角形収納部に限らず、写真収納用フレームや、チラシ、ポスターを支持するための挟着手段（クリップ、バインダー）、または、ネックレス、キーホルダーを吊り下げて収納するためのフック部を設けてもよい。（図３０〜３３参照）
【００４９】  収納部の設置手段は、第二実施例の一体成型パターンに限らず、図６例示のように、螺子着手段、或いは挟着手段など、適宜手段を用いればよい。
【００５０】  図７は、第三実施例の正面図と側面図である。
図８は、第四実施例の正面図と側面図である。
【００５１】  略Ｔシャツ形平面状板部に液晶時計機能部を設けたものである。
【００５２】  前記略Ｔシャツ形平面状板部１の下部に、横長矩形、且つ凹状の液晶時計収納部４を設け、前記液晶時計収納部４に液晶時計ＥＴを嵌め込み背面から螺子着してある。
【００５３】  図９は、第五実施例の正面図と側面図である。
略Ｔシャツ形平面状板部にアナログ時計機能部を設けたものである。
【００５４】  前記略Ｔシャツ形平面状板部１の略中央部に貫通穴部を設け、該穴部に対し、軸部を正面側に突出させ、前記軸部先部に分針、時針、秒針を設け、前記略Ｔシャツ形平面状板部１背面側に、前記軸部を有する時計ムーブメント部ＡＴを設けてある。
【００５５】  第二〜五実施例のように、プラスチック素材により形成した略Ｔシャツ形平面状板部に、様々な形態の収納部や時計機能部を設ければ、通常のベース材とは異なる商品展開が可能になる。
【００５６】  表示領域に、ロゴマークや広告事項を印せば、販促品、ノベルティー品として活用できる。
【００５７】  図１０〜図２２は、第六〜十八の実施例の正面図、側面図、平面図、底面図を表している。
これら各実施例は、本発明の意匠展開例であり、意匠創作余地の大きさを示す。
【００５８】  以上のように、本発明は、意匠創作性が大きく、独自の意匠効果を有するので、ベース材として、規格品、汎用品としての活用にとどまらず、多様な商品展開が可能である。
【符号の説明】
【００５９】  １    ハンガー部
２    略Ｔシャツ形ディスプレイ板
３    収納部
４    液晶時計収納部
ＥＴ  液晶時計
ＡＴ  時計ムーブメント部
ＬＦ  矩形レイアウト枠
【図１】
2011018005.tif 000003
【図２】
2011018005.tif 000004
【図３】
2011018005.tif 000005
【図４】
2011018005.tif 000006
【図５】
2011018005.tif 000007
【図６】
2011018005.tif 000008
【図７】
2011018005.tif 000009
【図８】
2011018005.tif 000010
【図９】
2011018005.tif 000011
【図１０】
2011018005.tif 000012
【図１１】
2011018005.tif 000013
【図１２】
2011018005.tif 000014
【図１３】
2011018005.tif 000015
【図１４】
2011018005.tif 000016
【図１５】
2011018005.tif 000017
【図１６】
2011018005.tif 000018
【図１７】
2011018005.tif 000019
【図１８】
2011018005.tif 000020
【図１９】
2011018005.tif 000021
【図２０】
2011018005.tif 000022
【図２１】
2011018005.tif 000023
【図２２】
2011018005.tif 000024
【図２３】
2011018005.tif 000025
【図２４】
2011018005.tif 000026
【図２５】
2011018005.tif 000027
【図２６】
2011018005.tif 000028
【図２７】
2011018005.tif 000029
【図２８】
2011018005.tif 000030
【図２９】
2011018005.tif 000031
【図３０】
2011018005.tif 000032
【図３１】
2011018005.tif 000033
【図３２】
2011018005.tif 000034
【手続補正書】
【提出日】平成21年9月17日(2009.9.17)
【手続補正１】
【補正対象書類名】明細書
【補正対象項目名】００１９
【補正方法】変更
【補正の内容】
【００１９】
【図１】  第一の実施例の正面図である。
【図２】  第一の実施例の背面図である。
【図３】  第一の実施例の平面図と底面図である。
【図４】  第一の実施例の左右の側面図である。
【図５】  第二の実施例の正面図と右側面図である。
【図６】  収納部の設置方法に関する参考説明図である。
【図７】  第三の実施例の正面図で断面図ある。
【図８】  第四の実施例の正面図と断面図である。
【図９】  第五の実施例の正面図と右側面図である。
【図１０】  第六の実施例の正面図、側面図、平面図、底面図である。
【図１１】  第七の実施例の正面図、側面図、平面図、底面図である。
【図１２】  第八の実施例の平面図、側面図、平面図、底面図である。
【図１３】  第九の実施例の正面図、側面図、平面図、底面図である。
【図１４】  第十の実施例の正面図、側面図、平面図、底面図である。
【図１５】  第十一の実施例の正面図、側面図、平面図、底面図である。
【図１６】  第十二の実施例の正面図、側面図、平面図、底面図である。
【図１７】  第十三の実施例の正面図、側面図、平面図、底面図である。
【図１８】  第十四の実施例の正面図、側面図、平面図、底面図である。
【図１９】  第十五の実施例の正面図、側面図、平面図、底面図である。
【図２０】  第十六の実施例の正面図、側面図、平面図、底面図である。
【図２１】  第十七の実施例の正面図、側面図、平面図、底面図である。
【図２２】  第十八の実施例の正面図、側面図、平面図、底面図である。
【図２３】  矩形ベース材の意匠創作性に関する参考説明図である。
【図２４】  本発明の意匠創作性に関する参考説明図である。
【図２５】  本発明の汎用性に関する参考説明図である。
【図２６】  本発明の規格性に関する参考説明図である
【図２７】  本発明の活用例に関する参考説明図１である。
【図２８】  本発明の活用例に関する参考説明図２である。
【図２９】  本発明の活用例に関する参考説明図３である。
【図３０】  収納部の形態バリエーションに関する参考説明図１である。
【図３１】  収納部の形態バリエーションに関する参考説明図２である。
【図３２】  収納部の形態バリエーションに関する参考説明図３である。
【手続補正２】
【補正対象書類名】明細書
【補正対象項目名】００２０
【補正方法】変更
【補正の内容】
【００２０】  以下、本発明の実施の形態を、図１〜図３２に基づいて説明する。
【手続補正３】
【補正対象書類名】明細書
【補正対象項目名】００４８
【補正方法】変更
【補正の内容】
【００４８】  収納部の形態も、収納対象となる物品個々（写真、郵便物、書類、電池、ティッシュ用品など）の形態に応じて成型する。（図３０〜３２参照）
前記上開き状角形収納部に限らず、写真収納用フレームや、チラシ、ポスターを支持するための挟着手段（クリップ、バインダー）、または、ネックレス、キーホルダーを吊り下げて収納するためのフック部を設けてもよい。